(57)【要約】  【目的】本発明では戸当り部材と開口枠の嵌合をさらに安定させるとともに、取り付け、取り外しのし易い開口枠を提供することを目的としている。  【構成】本発明は壁面の壁開口部に取り付けられる開口枠であって、壁面の一面側及び開口部断面の一部に当接するよう設けられた第一枠辺と、該第一枠辺と嵌合するよう設けられるとともに第一枠辺と非当接側の壁面及び開口部断面に当接するよう設けられた第二枠辺と、第一枠辺若しくは第二枠辺の少なくとも一方の開口部断面との非当接面と嵌合するよう設けられた第三枠辺（戸当り部材）と、からなる。前記第三枠辺（戸当り部材）に設けられるＬ字型凸片と、第一枠辺若しくは第二枠辺の少なくとも一方に設けられるＬ字型凹部とが嵌合することにより、前記目的を達成する。【選択図】  図１
0003129781.tif 000002
【実用新案登録請求の範囲】
【請求項１】
壁面の壁開口部に取り付けられる開口枠であって、
壁面の一面側及び開口部断面の一部に当接するよう設けられた第一枠辺と、
該第一枠辺と嵌合するよう設けられるとともに第一枠辺と非当接側の壁面及び開口部断面に当接するよう設けられた第二枠辺と、
第一枠辺若しくは第二枠辺の少なくとも一方の開口部断面との非当接面と嵌合するよう設けられた第三枠辺と、からなることを特徴とする開口枠。
【請求項２】
第三枠辺に設けられるＬ字型凸片と、
第一枠辺若しくは第二枠辺の少なくとも一方に設けられるＬ字型凹部とが嵌合することを特徴とする請求項１に記載の開口枠。
【請求項３】
前記第三枠辺が戸当り部材であることを特徴とする請求項１又は２に記載の開口枠。
【請求項４】
壁面の一面側及び開口部断面の一部に当接するよう第一枠辺を設けるとともに、前記壁面の他面側及び開口断面の一部に当接させ、かつ該第一枠辺と嵌合するよう第二枠辺を設け、第一枠辺若しくは第二枠辺の少なくとも一方に設けられたＬ字型凹部に、当該Ｌ字型凹部に嵌合する第三枠辺のＬ字型凸片を挿入してスライドさせることにより、第三枠辺と第一枠辺若しくは第二枠辺とを嵌合させることを特徴とする開口枠の取り付け方法。
【考案の詳細な説明】
【技術分野】
【０００１】
本考案は、壁に戸や窓等の建具を取りつけるために設けられる壁開口部に開口枠を取り付ける技術に関する。
【背景技術】
【０００２】
ドアの戸当り部材の取り付けは、戸当り部材の脚部に凸部が形成され、当該凸部が開口枠材に設けられる凹部と嵌合し、接着剤によって固定されるものが多い。
【０００３】
しかしながら凹凸で嵌合させるためには精度良く加工を仕上げなければならないが、戸当り部材も開口枠材も木質及び樹脂製品であるために、その作業は困難であった。そのため多少の加工誤差に起因して、接着剤が乾ききらないうちに、戸当り部材が開口枠材の凹部溝から外れてしまうことも多かった。そこで従来ではすぐに釘を打ちつけて固定したり、補助材を設けて戸当り部材を外部から支え、接着剤が乾くのを待って補助材を取り外すなどの作業を要していた。
【０００４】
しかしながら、釘を打ち付けて戸当り部材を固定してしまえば、壁開口枠の取り付け後に補修が必要となる場合があり、作業に手間がかかるという問題があった。
【０００５】
また、補助材を用いて戸当りを支えていれば、補助材が邪魔になるので、接着剤が乾くまで開口枠付近での作業が滞るという問題もあり、さらに戸当りにキズがつくという問題があった。
【０００６】
この問題を解決するために特許文献１に記載の発明においては化粧シート材に切り込みを入れて開口枠材に設けられる溝に張り出させ、戸当り部材の脚部が前記溝に入り込む際には前記化粧シートの張り出し部分がパッキンとなって、戸当り部材の抜け落ちを防ぐようになっている開口枠が開示されている。
【０００７】
【特許文献１】特開平９−９６１６３
【考案の開示】
【考案が解決しようとする課題】
【０００８】
本発明では戸当り部材と開口枠の嵌合を安定させ、抜け落ちを防ぐとともに、戸当り部材の取り付け、取り外しのし易い開口枠を提供することを目的としている。
【課題を解決するための手段】
【０００９】
本考案は、
（１）壁面の壁開口部に取り付けられる開口枠であって、
壁面の一面側及び開口部断面の一部に当接するよう設けられた第一枠辺と、
該第一枠辺と嵌合するよう設けられるとともに第一枠辺と非当接側の壁面及び開口部断面に当接するよう設けられた第二枠辺と、
第一枠辺若しくは第二枠辺の少なくとも一方の開口部断面との非当接面と嵌合するよう設けられた第三枠辺と、からなることを特徴とする開口枠を提供することにより、上記課題を解決する。
（２）第三枠辺に設けられるＬ字型凸片と、
第一枠辺若しくは第二枠辺の少なくとも一方に設けられるＬ字型凹部とが嵌合することを特徴とする（１）に記載の開口枠を提供することにより、上記課題を解決する。
（３）前記第三枠辺が戸当り部材であることを特徴とする（１）又は（２）に記載の開口枠を提供することにより、上記課題を解決する。
（４）壁面の一面側及び開口部断面の一部に当接するよう第一枠辺を設けるとともに、前記壁面の他面側及び開口断面の一部に当接させ、かつ該第一枠辺と嵌合するよう第二枠辺を設け、第一枠辺若しくは第二枠辺の少なくとも一方に設けられたＬ字型凹部に、当該Ｌ字型凹部に嵌合する第三枠辺のＬ字型凸片を挿入してスライドさせることにより、第三枠辺と第一枠辺若しくは第二枠辺とを嵌合させることを特徴とする開口枠の取り付け方法を提供することにより、上記課題を解決する。
【考案の効果】
【００１０】
本考案に係る開口部は上記のような構成のため、
（１）戸当り部材と開口枠材との嵌合において戸当り部材が開口枠材から抜け落ちることがないため、戸当り部材が取り付けやすい。
【００１１】
（２）従来の開口枠は先付け（クロス等の貼り付け工事よりも、開口枠を先に取り付けていた）のものが多く、開口枠を取り付けた後の工事の際や機器搬入時に開口枠を傷つけるおそれがあった。しかし、本発明によれば、先付けのみならず、戸当り部材のみを後付けにすることも、さらには開口枠全体を後付にすることも可能である。したがって、工事の際や機器搬入時に開口枠を傷つけるおそれがない。
【００１２】
（３）また、ドア等の建具を選ぶように戸当り部材を意匠的感覚から選ぶことができ、他の建具等とカラーコーディネートし易いため、デザイン性が高まる。
【考案を実施するための最良の形態】
【００１３】
本考案に係る開口枠の実施の形態について図面に基づいて説明する。
【００１４】
図１は第一枠辺及び第二枠辺、更に第三枠辺、つまり戸当り部材の断面図である。図２は壁面に本考案開口枠を取り付けた場合の断面図である。図３は本考案開口枠を取り付けた場合の全体図である。
【００１５】
本考案開口枠は図１に示されるように、第一枠辺１、第二枠辺２、第三枠辺３（本最良の形態では「戸当り部材３」という。）を基本構成とする。
【００１６】
第一枠辺１と第二枠辺２は相嵌合するように何れか一方に凹部、他方に凸部が形成されている。本最良の形態では第一枠辺１に凸部１１Ａ、第二枠辺２に凹部２１Ａがそれぞれ設けられている。この第一枠辺１と第二枠辺２は壁厚に合せて嵌合される。つまり、壁厚が大きい場合、図２に示すように、第一枠辺１と第二枠辺２の間に間隙Ａ、Ｂ、Ｃができることによって、種々の壁厚に対応できる。
【００１７】
戸当り部材３は図３に示すように扉９と接触することにより、扉（建具）等の開閉に必要な部材である。この戸当り部材３が第一枠辺１若しくは第二枠辺２のいずれか一方の開口部断面とは非当接の面、望ましくは第二枠辺２の当該面に嵌合するように設けられている。壁厚が大きい場合に、第一枠辺１と第二枠辺２の間に間隙Ａ、Ｂ、Ｃができたとしても、戸当り部材３が間隙を覆うように取り付けられているため、外観に間隙が現れることはなく、美感も損ねない。
【００１８】
各部材について詳細に説明する。図１及び図２に示すように、第一枠辺１は心材１１に化粧板１２を一体化させて構成される。化粧板１２は端部１２Ｂにおいて壁面と当接するように心材１１に差し込まれている。化粧板端部１２Ｂが心材１１に差し込まれることによって、化粧板と心材の剥離を防ぐことができる。
【００１９】
第一枠辺１の凸部１１Ａは第二枠辺の凹部２１Ａと嵌合し、化粧板端部１２Ｂの壁面側の面では、壁面の一面側と当接する。この角部１３は傾斜しており、クロス６が張られる際に、壁面５と化粧板端部１２Ｂの隙間にヘラなどで押し込めるように構成されている。又、第一枠辺１は壁面５の開口部断面の一部に当接するよう設けられている。
【００２０】
第二枠辺２も心材２１に化粧板２２を一体化させて構成される。化粧板２２は端部２２Ｂにおいて壁面と当接するように心材２１に差し込まれている。
【００２１】
第二枠辺２の開口部断面との非当接面には、戸当り部材と嵌合するよう凹部２１Ｃを設けることが望ましい。尚、この凹部は第一枠辺１に設けることもできる。
【００２２】
第二枠辺２若しくは第一枠辺１の少なくとも一方にはビスや釘などの係止部材をガイドするためのガイド溝４を設けることが望ましい。第一枠辺１１及び第二枠辺２１を嵌合させた後の固定の際にビスで係止しやすいためである。設ける位置としては、外観に係止部材８が現れることがないように戸当り部材が覆う部分に設けることが好ましい。尚、本最適な実施例においては第二枠辺２に設けている。
【００２３】
又、第二枠辺２は第一枠辺と非当接側の壁面及び開口部断面に当接するように設けられている。壁面と当接する側の第二枠辺２の端部２２Ｂは、壁面と当接する角部２３において第一枠辺１の角部１３と同様に傾斜が設けられている。
【００２４】
次に戸当り部材３について説明する。本部材も第一枠辺１及び第二枠辺２と同様に、心材３１に化粧板３２を一体化させて構成される。
【００２５】
戸当り部材３にはＬ字型凸片３１Ｃが設けられており、第二枠辺２のＬ字型凹部２１Ｃと嵌合するようになっている。無論、Ｌ字型凹部は第一枠辺１に設けても良い。Ｌ字型凸片３１ＣをＬ字型凹部２１Ｃの溝に挿入し、スライドさせて戸当り部材と固定させることができる。スライドさせると図３に示すような間隙Ｄが生じるが、戸当り部材が、該間隙を覆うため、外観に現れることはない。尚、扉９とは反対側に嵌合部を設けることが望ましい。ドアの開閉の衝撃で戸当り部材が外れることのないためである。また、接着剤を用いて当該嵌合を強固にしてもよい。
【００２６】
また、戸当り部材３は第一枠辺１及び第二枠辺２の嵌合部まで覆える長さを持っていることが望ましい。これにより、第一枠辺１及び第二枠辺２の間に間隙Ａが生じたとしても、覆うことができるようにするためである。間隙Ｂ、Ｃは内部にあるため、外観に露出することはない。また、第一枠辺１及び第二枠辺２は係止部材８等でしっかりと固定されているため、間隙Ａ、Ｂ、Ｃがガタツキを生じさせることもない。
【００２７】
図４は上部枠辺１０を示した図である。上部枠辺も第一枠辺１、第二枠辺２、戸当り部材３を基本構成とし、左右の開口枠と同様の構造をしている。尚、収まりをよくするため、左右の開口枠よりも上部枠辺は幅が小さめに作られるのが望ましい。図３で明らかなように、上部枠辺１０は開口枠の上側の辺に設けられる。
【００２８】
図５に示すように、第一枠辺１及び第二枠辺２の上部はカギ形状となっているため、上部枠辺１０と嵌合するようになっている。上部枠辺１０は第一枠辺及び第二枠辺と同様、心材と化粧版が接合した一部材である。上部枠辺１０の開口部断面側にはパッキン７が設けられており、このパッキンは第一枠辺１及び第二枠辺２のとの嵌合の際にガイドとなる。
【実施例１】
【００２９】
戸当り部材を有さない開口枠にも本発明は実施できる。図６はドア等建具のない開口枠を示す実施例である。第一枠辺１と第二枠辺２は相嵌合するように何れか一方に凹部、他方に凸部が形成されている。第一枠辺１と第二枠辺２の嵌合については、上述した構造と同様である。
【００３０】
第一枠辺１及び第二枠辺２の開口部断面との非当接面には第三枠辺と嵌合するようＬ字型凹部１１Ｃ、２１Ｃをそれぞれ設けることが望ましい。尚、Ｌ字型凹部は第一枠辺１及び第二枠辺２のいずれか一方のみに設けることも可能である。
【００３１】
本実施例においては戸当り部材の代わりに、第三枠辺３５が設けられる。この第三枠辺３５は第一枠辺１及び第二枠辺２と同様に、心材３１に化粧板３２を一体化させて構成されるものである。
【００３２】
第三枠辺３５にはＬ字型凸片３５Ｃが設けられており、第一枠辺１及び第二枠辺２のＬ字型凹片１１Ｃ、２１Ｃと嵌合するようになっている。つまり、Ｌ字型凸片３５ＣをＬ字型凹部１１Ｃ、２１Ｃの溝に挿入し、スライドさせて戸当り部材と固定させることができる。無論、Ｌ字型凹部は第一枠辺１及び第二枠辺２のいずれか一方のみに設けることもでき、その場合は、嵌合するＬ字型凸片も一つだけ設ける。
【００３３】
このようにすることで、外観には化粧面が現れて、美観の良い開口枠を提供することができる。
【図面の簡単な説明】
【００３４】
【図１】第一枠辺、第二枠辺、戸当り部材の断面図。
【図２】壁面に本考案開口枠を取り付けた場合の断面図。
【図３】本考案開口枠を取り付けた場合の全体図。
【図４】上部枠辺の断面図。
【図５】第一枠辺、第二枠辺、上部枠辺、戸当り部材の構成図。
【図６】戸当り部材を有さない開口枠における実施例を示した図。
【符号の説明】
【００３５】
１  第一枠辺
２  第二枠辺
３  第三枠辺（戸当り部材）
１０  上部枠辺
３１Ｃ  Ｌ字型凸片
１１Ｃ、２１Ｃ  Ｌ字型凹部
【図１】
0003129781.tif 000003
【図２】
0003129781.tif 000004
【図３】
0003129781.tif 000005
【図４】
0003129781.tif 000006
【図５】
0003129781.tif 000007
【図６】
0003129781.tif 000008
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
壁面の壁開口部に取り付けられる開口枠であって、
壁面の一面側及び開口部断面の一部に当接するよう設けられた第一枠辺と、
該第一枠辺と嵌合するよう設けられるとともに第一枠辺と非当接側の壁面及び開口部断面に当接するよう設けられた第二枠辺と、
第一枠辺若しくは第二枠辺の少なくとも一方の開口部断面との非当接面と嵌合するよう設けられた第三枠辺と、からなることを特徴とする開口枠。
【請求項２】
第三枠辺に設けられるＬ字型凸片と、
第一枠辺若しくは第二枠辺の少なくとも一方に設けられるＬ字型凹部とが嵌合することを特徴とする請求項１に記載の開口枠。
【請求項３】
前記第三枠辺が戸当り部材であることを特徴とする請求項１又は２に記載の開口枠。